(57)【特許請求の範囲】
【請求項１】
凸部が形成された第１の部品と、
前記凸部が挿入可能な幅を有し、前記凸部の高さよりも浅い一端から、前記凸部の高さと同じ又は前記凸部の高さよりも深い凹部を有する他端に向って、徐々に深くなり、前記凸部が前記凹部に嵌合することで前記第１の部品に位置決めされる溝部が形成された第２の部品と、
を備え、
前記第１の部品は、前記凸部が形成され、前記第２の部品と当接する当接部を有し、
前記第２の部品は、前記溝部が形成され、前記当接部が当接する被当接部を有し、
前記当接部と前記被当接部の間には、パッキンが設けられる、
ことを特徴とする機器の組み立て構造。
【請求項２】
前記第１の部品及び前記第２の部品が電子機器の部品であり、
前記第１の部品と前記第２の部品とを電気的に接続するケーブル状の配線を備える、
ことを特徴とする請求項１に記載の機器の組み立て構造。
【請求項３】
前記凸部は、円柱状に形成され、
前記凹部は、円筒状に形成され、
前記溝部は、前記凹部の円筒面よりも傾斜が緩いスロープを有する、
ことを特徴とする請求項１又は２に記載の機器の組み立て構造。
【請求項４】
前記溝部は、直線状又は円弧状に延在する、
ことを特徴とする請求項１から３のいずれか１項に記載の機器の組み立て構造。
【請求項５】
前記第１の部品及び前記第２の部品は、第１の筐体及び第２の筐体である、
ことを特徴とする請求項１から４のいずれか１項に記載の機器の組み立て構造。
【発明の詳細な説明】
【技術分野】
【０００１】
本発明は、機器の組み立て構造に関する。
【背景技術】
【０００２】
電子機器や自動車等の装置には、部品を高い精度で組み立てるため、位置決めピン及び位置決め穴が形成されたものがある。
【０００３】
例えば、特許文献１には、位置決めピン及び位置決め穴が形成された自動車の車両が開示されている。特許文献１の車両では、位置決めピンが車両用シートの脚フレームに形成されている。一方、位置決め穴は、車両ボディの車室内の床部に設けられ、上面が開放された直方体状の開放容器の底面に形成されている。車両の組み立て時に、位置決めピンが開放容器内へ挿入されると、位置決めピンは開放容器の側壁によって移動範囲が規制される。位置決めピンが側壁で囲まれた空間を移動するように、車両用シートを移動させることで、位置決めピンは開放容器の底に形成された位置決め穴に落ち込み、車両用シートが車両ボディを位置決めする。
【０００４】
特許文献２には、同形状の通信機器を上に積み重ねることで通信機器を増設する通信システムに使用される通信機器において、上に積み重ねる通信機器の下部に設けられた車輪を、位置決めピンとして機能させる位置決め穴が形成された通信機器が開示されている。位置決め穴は、通信機器の筐体の上面部に設けられ、車輪が走行可能な溝の中間部に形成されている。特許文献２の通信機器では、上に積み重ねる通信機器の車輪を積み重ねられる側の通信機器の溝の端部に嵌めて、上に積み重ねる通信機器を溝中間部側へ押す。これにより、車輪は溝内で転がって溝中間部へ移動する。そして、車輪が位置決め穴に落ち込んで移動が停止する。これにより、上に積み重ねる通信機器と積み重ねられる側の通信機器とを位置決めする。
【先行技術文献】
【特許文献】
【０００５】
【特許文献１】特開２００８−６２７２１号公報
【特許文献１】登録実用新案第３１９５６６５号公報
【発明の概要】
【発明が解決しようとする課題】
【０００６】
特許文献１の車両及び特許文献２の通信機器に開示された位置決めピン及び位置決め穴の場合、位置決めピンが位置決め穴に急激に落ち込むため、２つの部品が急激に接近してしまう。その結果、２つの部品を組み合わせる際に、部品の間に異物が挟まってしまうことがある。
【０００７】
例えば、電子機器では、ケーブル状の配線を有する２つの部品を組み立てることがある。そのような部品で、位置決めピンを位置決め穴に落とし込んで位置決めする場合に、２つの部品の間に配線が挟み込まれてしまうことがある。また、水滴や埃が進入しないように、２つの部品の間にパッキンやシート等を設けている場合には、挟み込まれた配線によってパッキンやシートがめくれたり動いたりすることがある。
【０００８】
本発明は、上記実情に鑑みてなされたものであり、２つの部品を備える機器において、２つの部品を位置決めする時にその間に異物が挟まりにくい機器の組み立て構造を提供することを目的とする。
【課題を解決するための手段】
【０００９】
上記の目的を達成するために、本発明に係る機器の組み立て構造は、
凸部が形成された第１の部品と、
前記凸部が挿入可能な幅を有し、前記凸部の高さよりも浅い一端から、前記凸部の高さと同じ又は前記凸部の高さよりも深い凹部を有する他端に向って、徐々に深くなり、前記凸部が前記凹部に嵌合することで前記第１の部品に位置決めされる溝部が形成された第２の部品と、
を備える、
ことを特徴とする。
【発明の効果】
【００１０】
本発明によれば、２つの部品を備える機器において、２つの部品を位置決めする時にその間に異物が挟まりにくい機器の組み立て構造を提供することができる。
【図面の簡単な説明】
【００１１】
【図１】本発明の実施の形態１に係る電子機器を示す斜視図である。
【図２】図１のＡ−Ａ断面図である。
【図３】電子機器の第１の筐体を上面側から見た斜視図である。
【図４】電子機器の第２の筐体を底面側から見た斜視図である。
【図５】電子機器の組み立てにおいて第１の筐体の位置決めピンを第２の筐体の位置決めピン挿入溝の挿入部に挿入した状態を示す断面図である。
【図６】第１の筐体の位置決めピンを第２の筐体の位置決めピン挿入溝に挿入したときの配線の状態を示す断面図である。
【図７】第１の筐体の位置決めピンを第２の筐体の位置決めピン挿入溝のスロープ部にスライドさせた状態を示す断面図である。
【図８】第１の筐体の位置決めピンを第２の筐体の位置決めピン挿入溝のスロープ部にスライドさせたときの配線の状態を示す断面図である。
【図９】第１の筐体の位置決めピンを第２の筐体の位置決めピン挿入溝の位置決め部に嵌合させた状態を示す断面図である。
【図１０】本発明の実施の形態２に係る電子機器の第２の筐体を底面側から見た斜視図である。
【図１１】電子機器の第１の筐体を上面側から見た斜視図である。
【図１２】電子機器の組み立てにおいて第１の筐体の位置決めピンを第２の筐体の位置決めピン挿入溝の挿入部に挿入したときの、第１の筐体及び第２の筐体を示す斜視図である。
【図１３】第１の筐体の位置決めピンを第２の筐体の位置決めピン挿入溝の挿入部に挿入した状態を示す断面図である。
【図１４】第１の筐体の位置決めピンを第２の筐体の位置決めピン挿入溝のスロープ部にスライドさせたときの、第１の筐体及び第２の筐体を示す斜視図である。
【図１５】第１の筐体の位置決めピンを第２の筐体の位置決めピン挿入溝のスロープ部にスライドさせた状態を示す断面図である。
【図１６】第１の筐体の位置決めピンを第２の筐体の位置決めピン挿入溝の位置決め部に嵌合させたときの、第１の筐体及び第２の筐体を示す斜視図である。
【図１７】第１の筐体の位置決めピンを第２の筐体の位置決めピン挿入溝の位置決め部に嵌合させた状態を示す断面図である。
【図１８】第２の筐体の位置決めピン挿入溝の変形例を示す断面図である。
【図１９】第２の筐体の位置決めピン挿入溝の他の変形例を底面側から見た斜視図である。
【発明を実施するための形態】
【００１２】
以下、本発明の実施の形態に係る機器について図面を参照して詳細に説明する。なお図中、同一又は同等の部分には同一の符号を付す。また図中、図に示す直交座標系ＸＹＺの、＋Ｘ側が右、＋Ｙ側が手前、＋Ｚ側が上である。
【００１３】
（実施の形態１）
実施の形態１に係る機器は、屋外に設置される無線通信機器１である。以下に図１〜図４を参照して無線通信機器１の構成を説明する。
【００１４】
無線通信機器１は、図１及び図２に示すように、第１の筐体１０と、第１の筐体１０に取り付けられた第２の筐体２０と、を備えている。
【００１５】
第１の筐体１０は無線通信機器１を制御するＣＰＵ（Central Processing Unit：中央処理装置）等を収容する筐体である。第１の筐体１０は、図２に示すように、上面（＋Ｚ側）が開放された箱状に形成されている。第１の筐体１０の箱内部にはＣＰＵやメモリー等が実装された実装モジュール１１０が収容されている。
【００１６】
第２の筐体２０は、第１の筐体１０の開放された上面部を覆う蓋として機能する筐体である。第２の筐体２０は、底（−Ｚ側の面）が開放された箱状に形成されている。第２の筐体２０には、無線回路等が実装された実装モジュール２１０が収容されている。
【００１７】
実装モジュール２１０は、第１の筐体１０に収容すると、高密度実装や高効率な放熱を実現することができないため、第２の筐体２０に収容されるモジュールである。実装モジュール２１０は、第１の筐体１０の実装モジュール１１０と電気的に接続されている。詳細には、実装モジュール２１０には、ケーブル状の配線３０と接続されるコネクタ２１１が設けられている。一方、第１の筐体１０の実装モジュール１１０には配線３０と接続されるコネクタ１１１が設けられている。実装モジュール２１０は、配線３０を介して第１の筐体１０の実装モジュール１１０と電気的に接続されている。
【００１８】
第２の筐体２０は、第１の筐体１０の開放された上面を覆うため、第１の筐体１０の上に重ね合わされている。第２の筐体２０の底側の周縁部には、第１の筐体１０に設けられた四角形枠１２０に重ね合わされて当接する四角形枠２２０が設けられている。ここで、
第１の筐体１０の四角形枠１２０と第２の筐体２０の四角形枠２２０とは、同じ大きさ、形状であり、図示しない締結部材（ネジ、ナット等）によって締結されている。
【００１９】
第１の筐体１０の四角形枠１２０と第２の筐体２０の四角形枠２２０の間には、重ね合わせ部から水滴や塵が進入しないように、環状のパッキン４０が配置されている。パッキン４０は、第１の筐体１０の四角形枠１２０が第２の筐体２０の四角形枠２２０と当接する当接面１２１に形成されたパッキン溝１２２に嵌め込まれている。
【００２０】
一方、第１の筐体１０の四角形枠１２０と第２の筐体２０の四角形枠２２０とは、水平面（ＸＹ平面）において、互いにずれないように重ね合わされている。このような重ね合わせを容易かつ正確にできるように、第１の筐体１０の四角形枠１２０には、図３に示す位置決めピン１３０が設けられている。また、第２の筐体２０の四角形枠２２０には、図４に示す、位置決めピン１３０が挿入可能な位置決めピン挿入溝２３０Ａが設けられている。
【００２１】
位置決めピン１３０は、図３に示すように、先端部が面取りされた円柱状に形成され、四角形枠１２０の当接面１２１から上へ突出している。
【００２２】
位置決めピン１３０は、第１の筐体１０における四角形枠１２０の長辺部分に２つずつ配置されている。第１の筐体１０と第２の筐体２０との重ね合わせにおいて、第１の筐体１０に対して第２の筐体２０がずれないように、四角形枠１２０全体で合計で４つの位置決めピン１３０が四角形の頂点を形成するように配置されている。
【００２３】
一方、位置決めピン挿入溝２３０Ａは、位置決めピン１３０の挿入を容易にするため、図４に示すように、長軸がＸ軸と平行に延びる平面長円状の溝に形成されている。位置決めピン挿入溝２３０Ａの幅は、位置決めピン１３０の円柱の直径よりもやや大きく、全体が同じ幅である。また、位置決めピン挿入溝２３０Ａの長さは、位置決めピン１３０の円柱の直径の３〜４倍である。
【００２４】
そして、位置決めピン挿入溝２３０Ａは、位置決めピン１３０が嵌合される部分が最も深く、その他の部分が浅く形成されている。
【００２５】
詳細には、位置決めピン挿入溝２３０Ａは、位置決めピン１３０の先端部だけが挿入可能な深さに形成された挿入部２３１と、挿入部２３１の右側（＋Ｘ側）に位置し、右に向かうに従って徐々に深くなるスロープを有するスロープ部２３２と、スロープ部２３２の右側に位置し、スロープ部２３２の右端部よりも深い位置決め部２３３と、で構成されている。
【００２６】
挿入部２３１は、位置決めピン１３０が最初に挿入される部分として設けられている。挿入部２３１では、位置決めピン１３０が挿入されたときに、第１の筐体１０と第２の筐体２０との間に隙間を設ける深さに形成されている。挿入部２３１は、第１の筐体１０と第２の筐体２０との間に隙間を設けて、その間に異物（例えば、第１の筐体１０内に配置されるべき配線３０やあってはならない埃）が有るかどうかを確認できるようにする。挿入部２３１の深さは、位置決めピン１３０の先端部が挿入されたときに、位置決めピン１３０の基部が、配線３０の径よりも長く露出するような深さであるとよい。挿入部２３１の深さは、例えば、位置決めピン１３０の円柱の高さが、配線３０の径の倍である場合に、配線３０の径と同程度である。挿入部２３１は、位置決めピン挿入溝２３０Ａの左端部に配置され、その右側に位置するスロープ部２３２とつながっている。
【００２７】
スロープ部２３２は、挿入部２３１に挿入された位置決めピン１３０を位置決め部２３３へ案内するために設けられた部分である。スロープ部２３２は、挿入部２３１から右方向へ直線的に延在して位置決め部２３３とつながっている。スロープ部２３２は、後述するように位置決めピン１３０がスロープ部２３２内を相対的に右へ移動する場合に、その位置決めピン１３０を右方向へ案内する。
【００２８】
また、スロープ部２３２は、位置決めピン１３０がスロープ部２３２内を相対的に右へ移動するときに、位置決めピン１３０が溝の奥に徐々に入るようにするため、第２の筐体２０の四角形枠２２０の当接面２２１に対して、溝の底面が鋭角Ｓを形成するように設けられている。例えば、鋭角Ｓは１０〜２０°に形成される。なお、スロープ部２３２は、位置決めピン１３０が位置決めピン挿入溝２３０Ａの奥に徐々に入るようにするため、後述する、位置決めピン１３０の先端部が嵌合する、位置決め部２３３の凹部の側壁部よりも傾斜が緩く形成されてもよい。スロープ部２３２は、位置決めピン挿入溝２３０Ａの中間部に配置され、位置決めピン挿入溝２３０Ａの右端部に設けられた位置決め部２３３とつながっている。
【００２９】
位置決め部２３３は、スロープ部２３２に案内された位置決めピン１３０と嵌合して、第１の筐体１０と第２の筐体２０とを位置決めするために設けられた部分である。位置決め部２３３は、位置決めピン１３０の円柱の高さと同じ深さに形成されている。その溝の底には、円筒形状の凹部が形成され、位置決めピン１３０の円柱の先端部が嵌合する。
【００３０】
挿入部２３１、スロープ部２３２、及び位置決め部２３３で構成される位置決めピン挿入溝２３０Ａは、第２の筐体２０の四角形枠２２０の長辺部分に、位置決めピン１３０と同様に２つずつ、四角形枠２２０全体で合計４つ設けられている。位置決めピン挿入溝２３０Ａそれぞれは、第１の筐体１０と第２の筐体２０とが重ね合わされて組み立てられたときに、位置決めピン１３０が位置決めピン挿入溝２３０Ａの位置決め部２３３に位置するように設けられている。
【００３１】
以下に、図５〜図９を参照して、位置決めピン１３０と位置決めピン挿入溝２３０Ａとを用いた、第１の筐体１０と第２の筐体２０との組み立て方法について説明する。
【００３２】
まず、第１の筐体１０の四角形枠１２０のパッキン溝１２２にパッキン４０を嵌め込み、第１の筐体１０側のコネクタ１１１と、第２の筐体２０側のコネクタ２１１と、に配線３０を接続する。そして、第１の筐体１０の四角形枠１２０側が上になるように第１の筐体１０を置いて、その上に、第２の筐体２０の四角形枠２２０側が下になるように第２の筐体２０を被せる。
【００３３】
第１の筐体１０に第２の筐体２０を被せるときには、図５に示すように、第１の筐体１０の位置決めピン１３０が、第２の筐体２０の位置決めピン挿入溝２３０Ａの挿入部２３１に挿入されるようにする。
【００３４】
このとき、位置決めピン１３０の先端部だけが位置決めピン挿入溝２３０Ａの挿入部２３１に挿入されるため、図６に示すように、第１の筐体１０と第２の筐体２０との間に隙間が生じる。この工程で、第１の筐体１０と第２の筐体２０との間に異物（例えば、配線３０や埃）が有るかどうかを確認し、異物がある場合にはその異物を除去する。
【００３５】
次に、図７及び図８に示すように、第２の筐体２０を左へスライドさせる。これにより、位置決めピン挿入溝２３０Ａが位置決めピン１３０に対して左へ移動する。このとき、位置決めピン１３０は、位置決めピン挿入溝２３０Ａの挿入部２３１からスロープ部２３２へ相対的に移動することになり、さらにスロープ部２３２内を右へ相対的に移動することになる。そして、スロープ部２３２の溝が右へ向かって徐々に深くなっているため、位置決めピン１３０の先端は、第２の筐体２０の位置決めピン挿入溝２３０Ａの奥へ入るようになる。その結果、第１の筐体１０と第２の筐体２０との間の隙間は徐々に小さくなる。この工程においても、第１の筐体１０と第２の筐体２０との間に異物が有るかどうかを確認するとよい。
【００３６】
第２の筐体２０をさらに左へスライドさせると、位置決めピン挿入溝２３０Ａがさらに左へ移動する。これにより、位置決めピン１３０は位置決めピン挿入溝２３０Ａの位置決め部２３３へ相対的に移動することになる。その結果、位置決めピン１３０は、図９に示すように、位置決めピン挿入溝２３０Ａの位置決め部２３３と嵌合する。その結果、第２の筐体２０が第１の筐体１０に位置決めされる。この状態で、締結部材を用いて第２の筐体２０を第１の筐体１０に固定する。以上により、第１の筐体１０と第２の筐体２０との組み立てが完了する。
【００３７】
なお、図５に示す第２の筐体２０を第１の筐体１０に被せる工程では、図６に示すように、配線３０を第２の筐体２０の右内壁部２４０の近傍で屈曲させ、その屈曲部を右内壁部２４０に当接させるとよい。第２の筐体２０を左へスライドさせる場合でも、配線３０の屈曲部が第２の筐体２０の右内壁部２４０に当接した状態が維持される。そのため、第２の筐体２０を左へスライドさせるときに、配線３０が第２の筐体２０の外側へはみ出て、第１の筐体１０と第２の筐体２０の間に挟み込まれることを防止することができる。例えば、第２の筐体２０のコネクタ２１１の先端を第２の筐体２０の右内壁部２４０に向け、配線３０を右内壁部２４０側へ延ばして屈曲させるとよい。
【００３８】
以上のように、実施の形態１に係る無線通信機器１は、位置決めピン１３０が設けられた第１の筐体１０と、位置決めピン挿入溝２３０Ａが設けられた第２の筐体２０と、を備えている。そして、位置決めピン挿入溝２３０Ａは、位置決めピン１３０の先端部だけが挿入可能な挿入部２３１と、挿入部２３１の右側に位置し、右に向かうに従って徐々に深くなるスロープ部２３２と、スロープ部２３２の右側に位置し、位置決めピン１３０と嵌合可能な位置決め部２３３と、で構成されている。そのため、第１の筐体１０と第２の筐体２０とを組み立てる際に、位置決めピン１３０を挿入部２３１に挿入して、第２の筐体２０を第１の筐体１０に対してスライドさせることで、位置決めピン１３０を相対的に右へかつスロープ部２３２に沿って移動させることができる。その結果、第１の筐体１０と第２の筐体２０との距離を徐々に近づかせることができる。そのため、第１の筐体１０と第２の筐体２０との間に配線３０等の異物が挟まれているかどうかを確認しながら、第１の筐体１０と第２の筐体２０とを組み立てることができる。実施の形態１によれば、組み立て時に、第１の筐体１０と第２の筐体２０との間に配線３０が挟まりにくい無線通信機器１を提供することができる。
【００３９】
従来、配線３０がケーブル状である場合、最小曲げ半径の制約から、第１の筐体１０の実装モジュール１１０と第２の筐体２０の実装モジュール２１０と接続する配線３０を長くする必要があった。その場合、第１の筐体１０と第２の筐体２０とを組み立てるときに、第１の筐体１０と第２の筐体２０との間に配線３０が挟まったり、配線３０がパッキン４０をめくりあげたりして、パッキン４０による防水性、防塵性が損なわれることがあった。実施の形態１に係る無線通信機器１は、第１の筐体１０と第２の筐体２０との間に配線３０が挟まりにくいので、特に防水性、防塵性が求められる機器に好適である。
【００４０】
実施の形態１では、スロープ部２３２が挿入部２３１から右方向へ直線的に延在している。そのため、第１の筐体１０に対して第２の筐体２０を右方向へ、換言すると、一方向へスライドさせることで、第１の筐体１０と第２の筐体２０とを組み立てることができ、その組み立てが容易である。
【００４１】
実施の形態１では、スロープ部２３２と位置決め部２３３とがつながっている。第２の筐体２０を第１の筐体１０に対してスライドさせることで、スロープ部２３２に沿って相対的に移動した位置決めピン１３０が位置決め部２３３へ案内される。その結果、位置決めピン１３０を位置決め部２３３に嵌合させることができる。実施の形態１によれば、第１の筐体１０と第２の筐体２０とを容易かつ正確に位置決めすることができる。
【００４２】
（実施の形態２）
実施の形態２に係る無線通信機器１は、円弧状の位置決めピン挿入溝２３０Ｂが形成された第２の筐体２０を備えている。以下に、図１０および図１１を参照して実施の形態２に係る無線通信機器１の構成を説明する。なお、実施の形態２では、実施の形態１と異なる構成について説明する。
【００４３】
第２の筐体２０の四角形枠２２０には、図１０に示すように、円弧状の位置決めピン挿入溝２３０Ｂが３つ形成されている。３つの位置決めピン挿入溝２３０は、四角形枠２２０の４つのコーナー部のうちの、３つのコーナー部の近傍それぞれに配置されている。位置決めピン挿入溝２３０Ｂそれぞれの円弧は、四角形枠２２０を真下（−Ｚ軸側）から見たときの、四角形枠２２０の中心を円中心とする。
【００４４】
なお、位置決めピン挿入溝２３０Ｂを構成する挿入部２３１、スロープ部２３２、及び位置決め部２３３は、第２の筐体２０の四角形枠２２０を真下（−Ｚ軸側）から見たときの左回り方向（矢印Ｑの方向）に、この順序で並び、それぞれ円弧状に形成されている。そして、スロープ部２３２が上記の左回り方向に向かって徐々に深くなるように形成されている。挿入部２３１、スロープ部２３２、及び位置決め部２３３のそれ以外の構成は、実施の形態１と同様である。
【００４５】
一方、第１の筐体１０の四角形枠１２０には、図１１に示すように、位置決めピン１３０が３つ設けられている。３つの位置決めピン１３０は、第１の筐体１０と第２の筐体２０とが重ね合わされて組み立てられたときに、３つの位置決めピン挿入溝２３０Ｂそれぞれの位置決め部２３３に位置するように、四角形枠１２０のコーナー部のうちの、３つのコーナー部の近傍それぞれに配置されている。なお、位置決めピン１３０それぞれの形状は、実施の形態１と同様である。
【００４６】
以下、図１２〜図１７を参照して、実施の形態２に係る無線通信機器１の場合の、第１の筐体１０と第２の筐体２０との組み立て方法について説明する。
【００４７】
まず、実施の形態１と同様に、パッキン４０の嵌め込みと配線３０の接続を行い、第１の筐体１０に第２の筐体２０を被せる。そして、図１２に示すように、第１の筐体１０のコーナー部と第２の筐体２０のコーナー部とがずれるように、第２の筐体２０を第１の筐体１０に重ね合わせる。このとき、図１３に示すように、第１の筐体１０の位置決めピン１３０を、第２の筐体２０の位置決めピン挿入溝２３０Ｂにおける挿入部２３１に挿入させる。
【００４８】
次に、図１４に示すように、第１の筐体１０に対して第２の筐体２０を、第１の筐体１０を真上から見たときの、右回り方向（矢印Ｒの方向）へ回転させる。これにより、位置決めピン挿入溝２３０Ａが位置決めピン１３０に対して移動する。その結果、図１５に示すように、位置決めピン１３０は、位置決めピン挿入溝２３０Ｂのスロープ部２３２内を位置決め部２３３側へ相対的に移動する。
【００４９】
第１の筐体１０に対して第２の筐体２０を、さらに右回り方向へ回転させると、図１６に示すように、第１の筐体１０のコーナー部と第２の筐体２０のコーナー部とが重なりあうようになる。このとき、図１７に示すように、位置決めピン１３０は、位置決めピン挿入溝２３０Ｂの位置決め部２３３に嵌合する。これにより、第１の筐体１０と第２の筐体２０とが位置決めされる。この状態で、締結部材を用いて第２の筐体２０を第１の筐体１０に固定する。以上により、第１の筐体１０と第２の筐体２０との組み立てが完了する。
【００５０】
以上のように、実施の形態２に係る無線通信機器１は、実施の形態１と同様に、位置決めピン１３０が設けられた第１の筐体１０と、位置決めピン挿入溝２３０Ｂが設けられた第２の筐体２０と、を備えている。そして、位置決めピン挿入溝２３０Ｂは、挿入部２３１と、スロープ部２３２と、位置決め部２３３と、を有している。そのため、実施の形態１と同様に、実施の形態２に係る無線通信機器１は、組み立て時に、第１の筐体１０と第２の筐体２０との間に配線３０が挟まりにくい。
【００５１】
また、実施の形態２においても、位置決めピン挿入溝２３０Ｂが位置決め部２３３を有する。そのため、実施の形態２に係る無線通信機器１でも、第１の筐体１０と第２の筐体２０とを容易かつ正確に位置決めすることができる。
【００５２】
実施の形態２では、位置決めピン挿入溝２３０Ｂが円弧状に形成され、第２の筐体２０を第１の筐体１０に対して回転させることで、第２の筐体２０を第１の筐体１０に位置決めする。第２の筐体２０の、第２の筐体２０を第１の筐体１０に位置決めするための回転方向が一方向に規定されている。そのため、第１の筐体１０と第２の筐体２０とを組み立てる時に作業者が迷うことがない。その結果、第１の筐体１０と第２の筐体２０との組み立てが容易である。
【００５３】
以上、本発明の実施の形態を説明したが、この発明はこれに限定されない。例えば、実施の形態１及び２では、第１の筐体１０と、第２の筐体２０と、を備える無線通信機器１について説明した。しかし、本発明はこれに限定されない。本発明では、第１の筐体１０及び第２の筐体２０が無線通信機器１を構成する部品であってもよい。このような場合であっても、無線通信機器１を構成する２つの部品を組み合わせる際に、精度良く位置決めして組み立てることができる。また、２つの部品の間に配線が挟まりにくくすることができる。
【００５４】
実施の形態１及び２では、第２の筐体２０に、挿入部２３１と、スロープ部２３２と、位置決め部２３３と、が形成されていた。しかし、本発明はこれに限定されない。本発明は、位置決めピン１３０が挿入可能な幅を有し、位置決めピン１３０の高さよりも浅い一端から、位置決めピン１３０の高さと同じ又は位置決めピン１３０の高さの高さよりも深い凹部を有する他端に向って、徐々に深くなり、位置決めピン１３０が凹部に嵌合することで、第１の筐体１０に位置決めされる溝部である位置決めピン挿入溝２３０Ａが第２の筐体２０に形成されていればよい。例えば、第２の筐体２０に、図１８に示すように、挿入部２３１が形成されず、スロープ部２３２と、位置決め部２３３と、だけが形成されてもよい。スロープ部２３２が挿入部２３１を兼ねることで、実施の形態１及び２と同様の効果が得られる。
【００５５】
実施の形態１及び２では、スロープ部２３２が傾斜する底面を有していた。しかし、本発明はこれに限定されない。本発明では、スロープ部２３２は、位置決め部２３３に向かうに従い徐々に深くなっていればよい。例えば、スロープ部２３２は、図１８に示すように、底面の断面形状が放物線を描き、その底面が位置決め部２３３に向かうに従い徐々に深くなってもよい。
【００５６】
実施の形態１及び２では、第１の筐体１０が四角形枠１２０を、第２の筐体２０が四角形枠２２０を備えていた。しかし、本発明はこれに限定されない。本発明では、第１の筐体１０、第２の筐体２０それぞれが、組み立てたときに、互いに当接する当接部を備えていればよい。この場合、第１の筐体１０の当接部、第２の筐体２０の当接部に、位置決めピン１３０、位置決めピン挿入溝２３０Ａが設けられているとよい。
【００５７】
実施の形態１及び２では、第１の筐体１０の四角形枠１２０と、第２の筐体２０の四角形枠２２０との間に、パッキン４０が挟まれていた。しかし、本発明はこれに限定されない。本発明では、パッキン４０は任意の構成である。例えば、無線通信機器１が専ら屋内で使用される機器である場合、パッキン４０が設けられなくてもよい。
【００５８】
実施の形態１及び２では、位置決めピン１３０が円柱状であった。また、位置決めピン挿入溝２３０Ａ、２３０Ｂの位置決め部２３３の底の凹部が円筒状であった。しかし、本発明はこれに限定されない。本発明では、位置決めピン１３０が第１の筐体１０に形成された凸部で構成されてもよく、その場合、位置決め部２３３がこれに嵌合する凹部で構成されてもよい。例えば、位置決めピン１３０が円錐台状の凸部で構成されてもよく、位置決め部２３３がこの円錐台が嵌合する凹部で構成されてもよい。このような場合でも、第２の筐体２０を第１の筐体１０に正確に位置決めすることができる。
【００５９】
実施の形態１及び２では、位置決めピン挿入溝２３０Ａ、２３０Ｂが、位置決めピン１３０の円柱の直径よりもやや大きい幅を有する平面長円状の溝であった。しかし、本発明はこれに限定されない。本発明では、位置決めピン挿入溝２３０Ａ、２３０Ｂのスロープ部２３２が位置決めピン１３０を挿入可能な幅を有していればよい。その場合に、位置決め部２３３が、位置決めピン１３０と嵌合可能な形状を有していればよい。例えば、図１９に示すように、スロープ部２３２の幅が左端部から右端部に向かって徐々に細くなり、位置決め部２３３の幅が位置決めピン１３０の円筒直径とほぼ同じであってもよい。このような形態でも、スロープ部２３２が位置決めピン１３０を位置決め部２３３へ案内して位置決めピン１３０を位置決め部２３３に嵌合させることができる。また、逆に、スロープ部２３２の幅が左端部から右端部に向かって徐々に太くなってもよい。この場合、スロープ部２３２の左端部の幅が位置決めピン１３０の円筒直径とほぼ同じであるとよく、位置決め部２３３の底の凹部が位置決めピン１３０の先端と嵌合すればよい。この形態でも、スロープ部２３２が位置決めピン１３０を位置決め部２３３へ案内して位置決めピン１３０を位置決め部２３３に嵌合させることができ、第２の筐体２０を第１の筐体１０に正確に位置決めすることができる。
【００６０】
実施の形態１では、第２の筐体２０を第１の筐体１０に対して左へスライドさせて取り付けていた。また、実施の形態２では、第２の筐体２０を第１の筐体１０に対して右回転させて取り付けていた。しかし、本発明はこれに限定されない。本発明では、第２の筐体２０のスロープ部２３２が一端から他端に向かうに従い深くなる場合に、第１の筐体１０の位置決めピン１３０がスロープ部２３２の一端から他端に向かって移動するように、第２の筐体２０を第１の筐体１０に対して移動させて取り付ければよい。取り付けるときの、第１の筐体１０の位置決めピン１３０が移動する方向は、スロープ部２３２の傾斜方向に応じて定めればよい。
【００６１】
第１の実施の形態及び第２の実施の形態では、無線通信機器１を例に説明したが、本発明は、無線通信機器１に限られない。本発明は、テレビ受信機や携帯型の音楽プレーヤー等の電子機器等の２つ以上の部品を組み合わせて製造する機器の組み立て構造に適用可能である。
【００６２】
上記実施形態の一部又は全部は、以下の付記のようにも記載され得るが、以下には限られない。
【００６３】
（付記１）
凸部が形成された第１の部品と、
前記凸部が挿入可能な幅を有し、前記凸部の高さよりも浅い一端から、前記凸部の高さと同じ又は前記凸部の高さよりも深い凹部を有する他端に向って、徐々に深くなり、前記凸部が前記凹部に嵌合することで前記第１の部品に位置決めされる溝部が形成された第２の部品と、
を備える、
ことを特徴とする機器の組み立て構造。
【００６４】
（付記２）
前記第１の部品及び前記第２の部品が電子機器の部品であり、
前記第１の部品と前記第２の部品とを電気的に接続するケーブル状の配線を備える、
ことを特徴とする付記１に記載の機器の組み立て構造。
【００６５】
（付記３）
前記第１の部品は、前記凸部が形成され、前記第２の部品と当接する当接部を有し、
前記第２の部品は、前記溝部が形成され、前記当接部が当接する被当接部を有し、
前記当接部と前記被当接部の間には、パッキンが設けられる、
ことを特徴とする付記１又は２に記載の機器の組み立て構造。
【００６６】
（付記４）
前記凸部は、円柱状に形成され、
前記凹部は、円筒状に形成され、
前記溝部は、前記凹部の円筒面よりも傾斜が緩いスロープを有する、
ことを特徴とする付記１から３のいずれか１つに記載の機器の組み立て構造。
【００６７】
（付記５）
前記溝部は、直線状又は円弧状に延在する、
ことを特徴とする付記１から４のいずれか１つに記載の機器の組み立て構造。
【００６８】
（付記６）
前記第１の部品及び前記第２の部品は、第１の筐体及び第２の筐体である、
ことを特徴とする付記１から５のいずれか１つに記載の機器の組み立て構造。
【符号の説明】
【００６９】
１    無線通信機器
１０    第１の筐体
２０    第２の筐体
３０    配線
４０    パッキン
１１０    実装モジュール
１１１    コネクタ
１２０    四角形枠
１２１    当接面
１２２    パッキン溝
１３０    位置決めピン
２１０    実装モジュール
２１１    コネクタ
２２０    四角形枠
２２１    当接面
２３０Ａ、２３０Ｂ    位置決めピン挿入溝
２３１    挿入部
２３２    スロープ部
２３３    位置決め部
２４０    右内壁部
Ｐ、Ｑ、Ｒ    矢印
Ｓ    鋭角
【図１】
0006717000.tif 000002
【図２】
0006717000.tif 000003
【図３】
0006717000.tif 000004
【図４】
0006717000.tif 000005
【図５】
0006717000.tif 000006
【図６】
0006717000.tif 000007
【図７】
0006717000.tif 000008
【図８】
0006717000.tif 000009
【図９】
0006717000.tif 000010
【図１０】
0006717000.tif 000011
【図１１】
0006717000.tif 000012
【図１２】
0006717000.tif 000013
【図１３】
0006717000.tif 000014
【図１４】
0006717000.tif 000015
【図１５】
0006717000.tif 000016
【図１６】
0006717000.tif 000017
【図１７】
0006717000.tif 000018
【図１８】
0006717000.tif 000019
【図１９】
0006717000.tif 000020